(57)【要約】【課題】  この発明は、同一画面内に放送コンテンツと非放送コンテンツとが表示された場合に、非放送コンテンツを放送コンテンツと誤って認識されるといったことを防止できるデジタル放送受信用の携帯端末機を提供することを目的とする。【解決手段】  デジタル放送受信用の携帯端末機において、上記放送コンテンツと上記非放送コンテンツとを上記表示器に同時に表示させる際には、上記放送コンテンツと上記非放送コンテンツとを上下に並べて表示させるとともに、上記放送コンテンツと上記非放送コンテンツとの間に上記ステイタスバーを表示させる手段を備えている。【選択図】  図５
2006094089.tif 000002
【特許請求の範囲】
【請求項１】
通信機能およびデジタル放送を受信する放送受信機能を備えているとともに、放送受信機能によって受信された映像および／またはデータを含む放送コンテンツ、放送受信機能を実現するための放送アプリケーション以外の非放送アプリケーションによって提供される非放送コンテンツならびに少なくとも電池残量および通信のための電波受信レベルを表示するためのステイタスバーが表示される表示器を備えているデジタル放送受信用の携帯端末機において、
上記放送コンテンツと上記非放送コンテンツとを上記表示器に同時に表示させる際には、上記放送コンテンツと上記非放送コンテンツとを上下に並べて表示させるとともに、上記放送コンテンツと上記非放送コンテンツとの間に上記ステイタスバーを表示させる手段を備えていることを特徴とするデジタル放送受信用の携帯端末機。
【請求項２】
通信機能およびデジタル放送を受信する放送受信機能を備えているとともに、放送受信機能によって受信された映像およびデータを含む放送コンテンツならびに放送受信機能を実現するための放送アプリケーション以外の非放送アプリケーションによって提供される非放送コンテンツが表示される表示器を備えているデジタル放送受信用の携帯端末機において、
上記放送コンテンツと上記非放送コンテンツとを上記表示器に同時に表示させる際には、上記放送コンテンツと上記非放送コンテンツとを上下に並べて表示させるとともに、上記放送コンテンツの表示領域には、上記放送コンテンツを構成する映像およびデータそれぞれを縮小した上で、それらを横に並べて表示させる手段を備えていることを特徴とするデジタル放送受信用の携帯端末機。
【請求項３】
通信機能およびデジタル放送を受信する放送受信機能を備えているとともに、放送受信機能によって受信された映像およびデータを含む放送コンテンツ、放送受信機能を実現するための放送アプリケーション以外の非放送アプリケーションによって提供される非放送コンテンツならびに少なくとも電池残量および通信のための電波受信レベルを表示するためのステイタスバーが表示される表示器を備えているデジタル放送受信用の携帯端末機において、
上記放送コンテンツと上記非放送コンテンツとを上記表示器に同時に表示させる際には、上記放送コンテンツと上記非放送コンテンツとを上下に並べて表示させるとともに、上記放送コンテンツと上記非放送コンテンツとの間に上記ステイタスバーを表示させ、かつ上記放送コンテンツの表示領域には、上記放送コンテンツを構成する映像およびデータそれぞれを縮小した上で、それらを横に並べて表示させる手段を備えていることを特徴とするデジタル放送受信用の携帯端末機。
【請求項４】
上記放送コンテンツと上記非放送コンテンツのうち、上記放送コンテンツのみを上記表示器に表示させる際には、上記ステイタスバーを上記放送コンテンツの下側に表示させる手段、および上記放送コンテンツと上記非放送コンテンツのうち、上記非放送コンテンツのみを上記表示器に表示させる際には、上記ステイタスバーを上記非放送コンテンツの上側に表示させる手段を備えていることを特徴とする請求項１および３のいずれかに記載のデジタル放送受信用の携帯端末機。
【請求項５】
上記非放送アプリケーションは、電子メールアプリケーション、ＷＥＢブラウザおよび通信でダウンロードしたアプリケーションのうちから選択された任意の１つまたは任意の組合せであることを特徴とする請求項１、２、３および４のいずれかに記載のデジタル放送受信用の携帯端末機。
【発明の詳細な説明】
【技術分野】
【０００１】
この発明は、デジタル放送を受信する携帯端末機に関する。
【背景技術】
【０００２】
携帯端末機向けのデジタル放送サービスでは、映像、音声、データといったマルチメディアコンテンツが放送により送られる。この放送サービスを受信する携帯端末機としては、携帯型電話機、ポータブルテレビ、ＰＤＡなどがある。
【０００３】
デジタル放送を受信する機能を備えた携帯型電話機では、放送を受信して表示する機能の他に、ＷＥＢブラウザによってＷＥＢサーバから取得したＷＥＢコンテンツを表示する機能、電子メールアプリケーションによってメールを送受信する機能、通信でダウンロードしたＪａｖａ（登録商標）アプリケーションを実行する機能を備えている。
【０００４】
ところで、携帯端末機向けのデジタル放送サービスでは、放送コンテンツを画面に表示する場合、原則として映像とデータとを同時に表示することになっている。しかしながら、放送コンテンツに加えて、上述したようなＷＥＢブラウザ、電子メールアプリケーション、Ｊａｖａ（登録商標）アプリケーション等の非放送アプリケーションによって提供される非放送コンテンツ（ＷＥＢコンテンツ、メール文書等）を同一画面上に表示するような場合、ユーザは放送コンテンツと非放送コンテンツの区別がつかなくなるおそれがある。例えば、ユーザが、非放送コンテンツを、放送コンテンツと誤って認識してしまうことがある。
【０００５】
図１は、従来の携帯型電話機において、放送コンテンツが表示器に表示されている状態を示している。
【０００６】
表示器２０の上部のピクト表示部（ステイタスバー）１０１と、表示器２０の下部のソフトキー表示部１０３との間の領域に放送コンテンツ（Ａ１＋Ａ２）が表示されている。ピクト表示部１０１には、電池残量や電波の受信レベル等を示すマークが表示される。ソフトキー表示部１０３には、ファンクションキーの機能が表示される。
【０００７】
放送コンテンツは、放送によって送られてきた映像Ａ１と放送によって送られてきたデータＡ２とからなる。ピクト表示部１０１とソフトキー表示部１０３との間の領域（放送コンテンツ表示部）１０２の上側に映像Ａ１が表示され、その下側にデータＡ２が表示されている。
【０００８】
図２は、従来の携帯型電話機において、非放送コンテンツが表示器に表示されている状態を示している。
【０００９】
表示器２０の上部のピクト表示部１０１と、表示器２０の下部のソフトキー表示部１０３との間の領域に非放送コンテンツ（この例では、ＷＥＢコンテンツ）Ｂが表示されている。
【００１０】
図３は、図１の放送コンテンツと図２の非放送コンテンツとを同一画面に表示した例を示している。
【００１１】
図３の例では、表示器２０の上部のピクト表示部１０１と、表示器２０の下部のソフトキー表示部１０３との間の領域に放送コンテンツ（Ａ１＋Ａ２）と非放送コンテンツ（この例では、ＷＥＢコンテンツ）Ｂとが縦に並んで表示されている。つまり、ピクト表示部１０１の下側に放送によって送られてきた映像Ａ１が表示され、その下側に放送によって送られてきたデータＡ２が表示され、その下側に非放送コンテンツＢが表示されている。      
【００１２】
図３に示すように、放送コンテンツと非放送コンテンツとが縦に並んで表示された場合には、非放送コンテンツを、放送コンテンツ（特に放送コンテンツを構成するデータ）と誤って認識してしまうことがある。
【発明の開示】
【発明が解決しようとする課題】
【００１３】
この発明は、同一画面内に放送コンテンツと非放送コンテンツとが表示された場合に、非放送コンテンツを放送コンテンツと誤って認識されるといったことを防止できるデジタル放送受信用の携帯端末機を提供することを目的とする。
【課題を解決するための手段】
【００１４】
請求項１に記載の発明は、通信機能およびデジタル放送を受信する放送受信機能を備えているとともに、放送受信機能によって受信された映像および／またはデータを含む放送コンテンツ、放送受信機能を実現するための放送アプリケーション以外の非放送アプリケーションによって提供される非放送コンテンツならびに少なくとも電池残量および通信のための電波受信レベルを表示するためのステイタスバーが表示される表示器を備えているデジタル放送受信用の携帯端末機において、上記放送コンテンツと上記非放送コンテンツとを上記表示器に同時に表示させる際には、上記放送コンテンツと上記非放送コンテンツとを上下に並べて表示させるとともに、上記放送コンテンツと上記非放送コンテンツとの間に上記ステイタスバーを表示させる手段を備えていることを特徴とする。
【００１５】
請求項２に記載の発明は、通信機能およびデジタル放送を受信する放送受信機能を備えているとともに、放送受信機能によって受信された映像およびデータを含む放送コンテンツならびに放送受信機能を実現するための放送アプリケーション以外の非放送アプリケーションによって提供される非放送コンテンツが表示される表示器を備えているデジタル放送受信用の携帯端末機において、上記放送コンテンツと上記非放送コンテンツとを上記表示器に同時に表示させる際には、上記放送コンテンツと上記非放送コンテンツとを上下に並べて表示させるとともに、上記放送コンテンツの表示領域には、上記放送コンテンツを構成する映像およびデータそれぞれを縮小した上で、それらを横に並べて表示させる手段を備えていることを特徴とする。
【００１６】
請求項３に記載の発明は、通信機能およびデジタル放送を受信する放送受信機能を備えているとともに、放送受信機能によって受信された映像およびデータを含む放送コンテンツ、放送受信機能を実現するための放送アプリケーション以外の非放送アプリケーションによって提供される非放送コンテンツならびに少なくとも電池残量および通信のための電波受信レベルを表示するためのステイタスバーが表示される表示器を備えているデジタル放送受信用の携帯端末機において、上記放送コンテンツと上記非放送コンテンツとを上記表示器に同時に表示させる際には、上記放送コンテンツと上記非放送コンテンツとを上下に並べて表示させるとともに、上記放送コンテンツと上記非放送コンテンツとの間に上記ステイタスバーを表示させ、かつ上記放送コンテンツの表示領域には、上記放送コンテンツを構成する映像およびデータそれぞれを縮小した上で、それらを横に並べて表示させる手段を備えていることを特徴とする。
【００１７】
請求項４に記載の発明は、請求項１乃至３に記載のデジタル放送受信用の携帯端末機において、上記放送コンテンツと上記非放送コンテンツのうち、上記放送コンテンツのみを上記表示器に表示させる際には、上記ステイタスバーを上記放送コンテンツの下側に表示させる手段、および上記放送コンテンツと上記非放送コンテンツのうち、上記非放送コンテンツのみを上記表示器に表示させる際には、上記ステイタスバーを上記非放送コンテンツの上側に表示させる手段を備えていることを特徴とする。
【００１８】
請求項５に記載の発明は、請求項１乃至４に記載のデジタル放送受信用の携帯端末機において、上記非放送アプリケーションは、電子メールアプリケーション、ＷＥＢブラウザおよび通信でダウンロードしたアプリケーションのうちから選択された任意の１つまたは任意の組合せであることを特徴とする。
【発明の効果】
【００１９】
この発明によれば、同一画面内に放送コンテンツと非放送コンテンツとが表示された場合に、非放送コンテンツを放送コンテンツと誤って認識されるといったことを防止できるようになる。
【発明を実施するための最良の形態】
【００２０】
以下、この発明の実施例について説明する。
【実施例１】
【００２１】
図４は、地上波デジタル放送を受信する機能を備えた携帯型電話機の構成を示している。
【００２２】
携帯型電話機は、制御装置１を備えている。制御装置１には、各種キーを有する操作部２が接続されている。また、制御装置１には、マイクロフォン４およびスピーカ５が接続されている。制御装置１には、通信部６を介して通信用アンテナ７が接続されている。
【００２３】
さらに、制御装置１には、バス１０を介して、デジタルチューナ１２、分離部１３、フラッシュメモリ１４、デコーダ１５、キャラクタ・グラフィックスジェネレータ１６が接続されている。キャラクタ・グラフィックスジェネレータ１６には、液晶表示器等の表示器２０が接続されている。
【００２４】
この携帯型電話機は、一般の携帯型電話機と同様に、電話機能、電子メールアプリケーションによってメールを送受信するメール機能、ＷＥＢコンテンツサーバから通信によってＷＥＢコンテンツを取得して表示するＷＥＢブラウザ機能、通信でダウンロードしたＪａｖａ（登録商標）アプリケーションを実行するＪａｖａ（登録商標）機能を備えている。さらに、この携帯型電話機は、デジタル放送を受信する機能（デジタル放送受信機能）も備えている。
【００２５】
電話機能、メール機能、ＷＥＢブラウザ機能、Ｊａｖａ（登録商標）機能については、一般の携帯型電話機において良く知られている機能であるので、その詳細な説明は省略する。
【００２６】
デジタル放送を受信する際（テレビ視聴モード時）の動作について説明する。テレビ用アンテナ１１によって受信された放送波は、デジタルチューナ１２によって選局され、分離部１３により、音声、映像、データの各コンポーネントに分離される。音声コンポーネントおよび映像コンポーネントのデータは、バス１０を介してデコーダ１５に送られて、デコードされる。
【００２７】
デコーダ１５によって得られた映像データはキャラクタ・グラフィックスジェネレータ１６を介して表示器２０に送られる。デコーダ１５によって得られた音声データは、バス１０および制御装置１を介してスピーカ５から出力される。データコンポーネントのデータは、制御装置１により処理され、必要に応じてキャラクタ・グラフィックスジェネレータ１６により、映像データに重畳され、表示器２０に表示される。
【００２８】
以下の説明において、放送コンテンツとは、デジタル放送受信機能によって受信されたコンテンツをいう。なお、デジタル放送には、地上波デジタルテレビ放送の他、地上波デジタルラジオ放送も含まれる。また、非放送コンテンツとは、デジタル放送を受信するためのアプリケーション以外のアプリケーションによって提供されるコンテンツをいい、この例では、電子メールアプリケーションによって表示されるメール文書、ＷＥＢブラウザによって表示されるＷＥＢコンテンツ、Ｊａｖａ（登録商標）アプリケーションによって表示されるコンテンツ等がある。
【００２９】
表示器の表示モードには、放送コンテンツと非放送コンテンツとを同時に表示できない通常モードと、放送コンテンツと非放送コンテンツとを同時に表示できる放送・非放送コンテンツ同時表示モードとがある。これらのモードは、初期設定においてユーザによって予め設定されるようになっている。
【００３０】
表示器の表示モードとして通常モードが設定されている場合について説明する。表示器２０には、通常は待ち受け画面が表示されている。メール機能が実行される際には、電子メールアプリケーションによってメール文書等が表示器２０に表示される。また、ＷＥＢブラウザ機能が実行される際には、ＷＥＢブラウザによってＷＥＢコンテンツ等が表示器２０に表示される。また、Ｊａｖａ（登録商標）機能が実行される際には、Ｊａｖａ（登録商標）アプリケーションによってコンテンツが表示器２０に表示される。電子メールアプリケーション、ＷＥＢブラウザおよびＪａｖａ（登録商標）アプリケーションによって表示器２０に表示される非放送コンテンツは、例えば、図２に示すような表示形態で表示器２０に表示される。
【００３１】
テレビ視聴モード時には、受信した放送コンテンツ（映像およびデータ）が、例えば、図１に示すような表示形態で、表示器２０に表示される。なお、テレビ視聴モード時に、メール機能またはＷＥＢ機能が実行されると、放送コンテンツの表示が中断されて、メール画面やＷＥＢ画面が表示される。
【００３２】
表示器の表示モードとして放送・非放送コンテンツ同時表示モードが設定されている場合について説明する。表示器の表示モードとして放送・非放送コンテンツ同時表示モードが設定されている場合においては、テレビ視聴モード時に、メール機能、ＷＥＢブラウザ機能またはＪａｖａ（登録商標）機能が実行されると、放送コンテンツと非放送コンテンツ（メール文書、ＷＥＢコンテンツ等）とが同一画面に表示される。
【００３３】
図５は、放送・非放送コンテンツ同時表示モードが設定されている場合において、テレビ視聴モード時に、ＷＥＢブラウザ機能が実行された場合の表示例を示している。
【００３４】
図５の例では、表示器２０の上下中央の下よりの位置に、ピクト表示が行われている。そして、表示器２０の上端とピクト表示部（ステイタスバー）２２との間の領域２１に、放送コンテンツ（Ａ１＋Ａ２）が表示されている。また、表示器２０のピクト表示部２２と、表示器２０の下部のソフトキー表示部２４との間の領域２３に非放送コンテンツ（この例では、ＷＥＢコンテンツ）Ｂが表示されている。この例では、放送コンテンツは映像とデータとからなり、領域２１内において、映像Ａ１が上側に、データＡ２がその下側に表示されている。
【００３５】
つまり、放送コンテンツと非放送コンテンツとが同一画面に表示される場合には、放送コンテンツと非放送コンテンツとの間にピクト表示部２２が配置されるので、放送コンテンツと非放送コンテンツとの境界が明確になり、ユーザが非放送コンテンツを放送コンテンツと誤って認識するといったことを防止できる。
【００３６】
表示器の表示モードとして放送・非放送コンテンツ同時表示モードが設定されている場合において、放送コンテンツおよび非放送コンテンツのうち、非放送コンテンツのみが表示される場合、つまり、テレビ視聴モードでない場合に非放送コンテンツが表示される場合は、通常モードと同様に、例えば、図２に示すような表示形態で表示される。
【００３７】
また、表示器の表示モードとして放送・非放送コンテンツ同時表示モードが設定されている場合において、放送コンテンツおよび非放送コンテンツのうち、放送コンテンツのみが表示される場合、つまり、テレビ視聴モードであり、メール機能およびＷＥＢ機能が実行されていない場合は、通常モードと同様に、例えば、図１に示すような表示形態で表示するようにしてもよいが、図５の表示形態に対応させるために、図６に示すように、放送コンテンツ（Ａ１＋Ａ２）の下側にピクト表示部２２を配置するようにしてもよい。
【００３８】
図７および図８は、放送コンテンツと非放送コンテンツとを同一画面に表示する際の他の例を示している。つまり、図５とは異なる例を示している。
【００３９】
図７の例では、表示器２０の上下中央の上よりの位置に、ピクト表示が行われている。そして、表示器２０の上端とピクト表示部２２との間の領域２１に、放送コンテンツ（Ａ１＋Ａ２）が表示されている。また、表示器２０のピクト表示部２２と、表示器２０の下部のソフトキー表示部２４との間の領域２３に非放送コンテンツ（この例では、ＷＥＢコンテンツ）Ｂが表示されている。この例では、放送コンテンツは映像Ａ１とデータＡ２とからなり、映像Ａ１の縮小画像とデータＡ２の縮小画像とが、領域２１内に横に並べて表示されている。
【００４０】
図７の例においても、放送コンテンツと非放送コンテンツとの間にピクト表示部２２が配置されるので、放送コンテンツと非放送コンテンツとの境界が明確になり、ユーザが非放送コンテンツを放送コンテンツと誤って認識するといったことを防止できる。
【００４１】
図８の例では、表示器２０の上部にピクト表示部２２が配置され、表示器２０の下部にソフトキー表示部２４が配置されている。表示器２０のピクト表示部２２とソフトキー表示部２４の間の領域の上部に放送コンテンツ（Ａ１＋Ａ２）が表示され、その下側に非放送コンテンツ（この例では、ＷＥＢコンテンツ）Ｂが表示されている。この例では、放送コンテンツは映像Ａ１とデータＡ２とからなり、映像Ａ１の縮小画像とデータＡ２の縮小画像とが、横に並べて表示されている。
【００４２】
図８の例では、放送コンテンツを構成する映像Ａ１の縮小画像と、放送コンテンツを構成するデータＡ２の縮小画像とが、横に並べて表示されているので、放送コンテンツ（Ａ１＋Ａ２）の表示と、非放送コンテンツＢの表示とが明確に区別されるため、ユーザが非放送コンテンツを放送コンテンツと誤って認識するといったことを防止できる。
【図面の簡単な説明】
【００４３】
【図１】従来の携帯型電話機において、放送コンテンツが表示器に表示されている状態を示す模式図である。
【図２】従来の携帯型電話機において、非放送コンテンツが表示器に表示されている状態を示す模式図である。
【図３】図１の放送コンテンツと図２の非放送コンテンツとを同一画面に表示した例を示す模式図である。
【図４】地上波デジタル放送を受信する機能を備えた携帯型電話機の構成を示すブロック図である。
【図５】テレビ視聴モード時に、ＷＥＢ機能が実行された場合の表示例を示す模式図である。
【図６】表示器の表示モードとして放送・非放送コンテンツ同時表示モードが設定されている場合において、放送コンテンツおよび非放送コンテンツのうち、放送コンテンツのみが表示される場合の表示例を示す模式図である。
【図７】放送コンテンツと非放送コンテンツとを同一画面に表示する際の他の例を示す模式図である。
【図８】放送コンテンツと非放送コンテンツとを同一画面に表示する際のさらに他の例を示す模式図である。
【符号の説明】
【００４４】
１  制御装置
２  操作部
４  マイクロフォン
５  スピーカ
６  通信部
７  通信用アンテナ
１０  バス
１２  デジタルチューナ
１３  分離部
１４  フラッシュメモリ
１５  デコーダ
１６  キャラクタ・グラフィックスジェネレータ
２０  表示器
【図１】
2006094089.tif 000003
【図２】
2006094089.tif 000004
【図３】
2006094089.tif 000005
【図４】
2006094089.tif 000006
【図５】
2006094089.tif 000007
【図６】
2006094089.tif 000008
【図７】
2006094089.tif 000009
【図８】
2006094089.tif 000010